(57)【要約】【課題】介助、介護、車椅子、又身体の不自由な人は自分で使用しにくかったり当てる部分が細く平たくなったり、ソバ殻が潰れたり、又段差があり、当てにくく外れたり、はせこみにくい等多くの問題がある。【解決手段】介助、介護、身体の不自由な人が使用する三角保護まくらであり、縦織目布部とバイヤス部、横織目布部とバイヤス部に構成し、縫い合わすことにより、二等辺三角形の周囲は布の持つそれぞれの特長を対面に置くことで布の力の効率を利用して構成し、更に強く安定のある製品にする為、ミシンステッチ１２で2〜３重に縫い合わす事で、微妙な伸び縮ができソバ殻は潰れず、変形せず、蒸れず、肌触りが良く、はずれ、落ちず、角が握りやす為、被介護者の負担も軽い便利な介助三角保護まくらである。 【選択図】  図4
2010057538.tif 000002
【特許請求の範囲】
【請求項１】
布から二等辺三角形状布１−Aと、これとは断ち方の違う二等辺三角形状布２−Bの二枚の布を裁断し、一枚の布１−Aは底辺の布織目が正バイヤス３−１になる位置で二等辺三角状に裁断し、底辺の正バイヤス３−１の頂点９からの布1−Aの左側の斜辺は横織目４となり、斜辺の右側は縦織目５になり、もう一枚の布２−Bの底辺６−１は布織目が縦織目になる位置で二等辺三角形状布２−Bを裁断すると底辺の縦織目６から頂点１０の布２−Bの左側の斜辺はバイヤス７−２となり、斜辺右側もバイヤス８−３になる、布1−Ａと布２−Bの二等辺三角形状の布を中表に合わせると布1−Aの底辺は正バイヤス３−１と布２−Bの底辺は縦織目６となり、左側の斜辺は縦織目５とバイヤス７−２と右側斜辺は横織目４とバイヤス８−３とを合わせ充填材投入口11を開けて、周囲を縫い合わせて表返し、中身に充填材を詰めると布のもつ特長、縦織目は引っ張っても伸びず破れにくく強い、横織目は引っ張ると破れやすいが、伸びないバイヤス目は伸びるが破れにくいとゆう布の特徴を、反対の布織目を対面に組み合わせ、構成し、バイヤス、横織目、縦織目布の布の持つ力の効率を利用した事を特徴とする三角保護まくら。
【発明の詳細な説明】
【技術分野】
【０００１】
本発明は床ズレ予防、防止及び生じた床ズレの保護、長期療養患者、車椅子の人、身体の不自由な人、高齢者、皮膚の弱い人等の介助保護に使用する三角保護まくらであり、縦織目、横織目、バイヤス織目の布が持つ、特長を反対面に置き布の力の効率を利用し、微妙な伸び縮じみをもたせて、通気性を保持させ長期使用しても形が崩れない介助三角保護まくら。
【背景技術】
【０００２】
当目的に使用されている従来の市販品は四角、長方形、楕円形、円形の中央に穴を開けてあり、化学繊維、ゴム製、合成樹脂製で造られ、充填材がプラスチックや合成繊維等で造られている為、吸湿性と通気性が悪くむれ、ただれ、床ズレの悪化の増進などの問題があり、又三角まくらを一般に作ろうと考えられる場合四角形を三角形に折り曲げて作り上げると、底辺はバイヤスと同じになり、頂点より両左右斜線は横織目と縦織目になる為、テストをしたところ一週間を過ぎると底辺が曲がり、ソバ殻が潰れ、変形してきた、病人の方や、身体の不自由な方には安定せず、はずれ、複雑な体部、肩、肘、脇、膝、脛、尻、踵、足等床ズレのできやすい部分や骨が曲がって行く時の防止、保護には負担が大きく介護、介助、保護防止に使用しにくい等の問題がある。
【特許文献１】特開平０６−２６９３４４号公報
【０００３】
従来市販されているまくらは大き過ぎ、段差がある為に寝たっきりの人には大きな負担が掛かっている、叉病人が自分でまくらを移動さす時に介助者にしてもらわないと、自分では力がなく引っ張りだすことも出来なく不便である。
【０００４】
従来市販されている円座とか保護まくら類は伸びたり、潰れる等ですぐ機能が果たせなくなる、身体にはせ、先端部分が平たくなって直ぐ潰れる等の問題がある、これ等は細くても潰れないようにし、又通気性、吸収性もよく安定させ安全なものを造っていく為には布の構造、裁断、構成に問題がある。
【発明の開示】
【発明が解決しようとする課題】
【０００５】
従来の介助、介護、保護まくら類は被介護者が自分自身で使いにくく介護、介助者が被介護者に手助けをしながら使用するものが殆どであり、病人が一寸変えたかったり、移動するのに大形で不便であった。本発明の三角形保護まくらは先端が細いので、差し入れやすく、当てやすく、引っ張り出しやすく手軽で力のない被介護者にも簡単に必要な形状に沿わせることの出来るように、使用目的に合わせ最良の効果を果たせる介助三角保護まくらを目標とした。
【０００６】
従来のまくらは大きめで、他の部分も全体に深々と当たるように造られているが、三角形保護まくらは肌に当たる必要な部分だけ残し、三角形状にして全体が潰れないように目的の機能を果たす為、構成の時点から布の織目が持つ力の効率を利用して、縦織目、横織目、バイヤス目を巧みに利用し、微妙に伸び縮みし、ソバ殻は潰れなく、高さも、形も長期使用しても変形せず又布の織目の組み合わせにより、滑り、はずれもなく、柔らかく、肌に優しく、快適であり、便利に使える介助三角保護まくらを提供することを目的とする。
【課題を解決するための手段】
【０００７】
本発明は前記目的を達成するために請求項１記載の三角形保護まくらは布を二等辺三角形状布１−Aと布２−Bの二枚の布を裁断し、一枚の布１−Aは底辺の布３８cm〜43cmの織目が正バイヤス3−1になる位置で裁断する。底辺の正バイヤス３−１の頂点９からの布1−Aの左側の斜辺は２８cm〜３３cmの横織目４となり、頂点９の右側は28cm〜33cmの縦織目５になり、もう一枚の布2−Bは底辺６−１は38cm〜４３cm織目が縦織目になる位置で裁断する、底辺の縦織目6から頂点１０の布2−Bの左側の斜辺は２８cm〜３３cmのバイヤス７−２となり、頂点１０の右側もバイヤス８−３になる、布1−Aと布2−Bの二等辺三角形状の布を中表に合わせると1−Aの底辺は正バイヤス３−１と布2−Bの底辺は縦織目６となり、頂点左側の斜辺は縦織目５とバイヤス７−２と頂点の右側斜辺は横織目４とバイヤス８−３と合わせて、縫い表返し、中身に充填材を詰めると布のもつ特長、縦目は引っ張っても伸びず破れにくく強い、横織目は引っ張ると破れやすく、伸びにくく、バイヤス目は伸びるが破れにくいとゆう布の特徴を、対面の布織目で伸びと破れを防ぐように構成し、蒸れと床ズレの原因となるプラスチック樹脂を使用しないで全ソバ殻でも潰れ、変形しない構成にし、更にまくらの三角形周辺を強く保持する為にミシンステッチ１２で２〜３重に縫い、バイヤス目、横織目、縦織目布の持っ力の効率を巧みに利用した事を特徴とする介助三角保護まくらである。
【発明の効果】
【０００８】
本発明の三角保護まくらはカバーを使用しない為、綿100%の少し厚めの布を使用し、二等辺三角形状の布1−Aと布2−Bを裁断し、布1−Aの底辺は正バイヤス3−1で伸び、布2−Bの底辺は縦織目６−１で伸びないので、正バイヤス３−１と縦織目６−１と合わせて縫う事で伸びを防ぎ、強くなりバイヤスと縦織目を合すことにより、微妙に伸び縮みし、ソフトな感じになる、布1−Aの頂点９と布2−Bの頂点１０を合わせると、頂点左側斜辺は縦織目５とバイヤス7−2と合すことになる為、伸びを防ぎ固定でき安定する、頂点右側斜辺は横織目４とバイヤス8−3と合すことになる為、横織目は破れやすいが、伸びない為、伸びを防ぎ固定でき、布1−Aと布2−Bを中表に重ね充填材投入口１１部分を開けて、周囲を縫い合わせて、充填材投入口１１より引っ張り出し表に返し、中に充填材として例えばソバ殻を入れて閉じると微妙な伸び縮みがある為、長期に使用してもソバ殻が潰れず、形も変化なく、肌に優しく、ソフトな感じのままで保持でき、ソバ殻が呼吸してくれる為、その空洞部分に汗、臭気を吸収し、温度も調節してくれるので、特に床ズレ部分等が蒸れなく、床ずれの防止や保護に機能を果たしてくれる三角保護まくらである。
【０００９】
二辺三角形状の形態はバイヤス、縦織、横織の特長を利用し、それぞれを組み合わせる事で布の力の効率を最大に利用して構成することにより、変形せずに微妙な伸び縮を持ち、全ソバ殻でも五年間使用しているが高さも、ふくらみも、先端部分も潰れることなく、ソフトな柔らかい肌ざわりの良い、そのままの今ままでにない形状で保たれている、又8年間実母が食物人間に近い状態で介護し時、まくらや当てまくらにプラスチック樹脂をソバ殻と混ぜてあり、樹脂部分だけが赤く点々となり、床ズレになって行った、丸空洞なソバ殻に替え床ズレ防止に勤めたが、普通まくらは段差があり、はずれ、病人に負担が大きかった為、機能効果の良い、三角保護まくらを考案した。
【００１０】
三角保護まくらは1−A布と2−B布のそれぞれ布の織目の特長の反対織目を組み合わせて構成してある為、滑りもはずれもなく、脇下、尻下等あたる部
分は沿いやすく、微妙に曲がり、使用者に負担が掛からず、複雑な人体の各部の形状に沿い、肌とまくら、枕と布団、まくらに当たる部分は三角形保護まくらの構成によってすべて落ちたり、外れないのも大きな特徴を持っている。
又車椅子や病人が座る当てまくらとなり、人体を支える使用目的部分だけに当たる三角保護まくらである。
【００１１】
布1−Aと布2−Bの色を変えて、高齢者や、身体障害者、又長期療養の子供さんに使用するために重度子供病棟の看護師から頼まれ、全ソバ殻で三角保護まくらをクリスマスプレゼントとして使われましたが、とても喜んでずっと使い続けられている、手軽で簡単に操作が出来、癒し効果もあることが分かる。
【発明を実施するための最良の形態】
【００１２】
以下、本発明の実施の形態を図１〜図５に基づいて説明する。
【００１３】
図1は布1−Aが裁断される図であり、この布1−Aにおいては少し厚い綿１００%の布を使用し、三角保護まくらとなる布を、角を頂点９として、横織目４と縦織目５布を同寸に印を付け、斜線で結んだ線が底辺３−１の正バイヤスができる。
【００１４】
図1の布2−Bにおいては布1−Aと同じ布に縦織目６−１の位置に底辺の正バイヤス３−１と同寸に印を付け、縦織目６−1の中心を上げ布1−Aと同寸で頂点10にし、縦織目6−1の両端と斜線で結ぶと布2−Bが裁断できる。
【００１５】
図２の２においては布織目布2−Bと布1−Aを対面に置き、中表の位置で示した図である。
【００１６】
図3は、図２の布1−Aと布2−Bを中表に重ねて充填材であるソバ殻の投入口11を開けてミシンステッチ１２で二回縫い合わした斜示図である。
【００１７】
図4において充填材投入口１１を縫い合わせて完成した三角まくら斜示図である。
【００１８】
図5はこの三角まくらを使用者の身体の各部位に用いた一例を示す斜示図である。
【図面の簡単な説明】
【００１９】
【図１】本発明の二等辺三角の裁断説明図
【図２】本発明の二等辺三角を中表におく位置の説明図
【図３】本発明の二等辺三角を中表に縫い合わす説明図
【図４】本発明の完成した1−A、2−Bを見た時の斜視図
【図５】本発明のまくらの使用例を示す斜視図
【符号の説明】
【００２０】
1−A        布                                                    
2−B        布
３−１      底辺の正バイヤス
４          横織目
５          縦織目
６−１      底辺の縦織目
７−２      バイヤス目
８−３      バイヤス目
９          １−Aの頂点
１０        2−Bの頂点
１１        充填材（ソバ殻）投入口
１２        ミシン縫い目
【図１】
2010057538.tif 000003
【図２】
2010057538.tif 000004
【図３】
2010057538.tif 000005
【図４】
2010057538.tif 000006
【図５】
2010057538.tif 000007